(57)【要約】【課題】消灯時における表示の見栄えを向上させることができる表示装置及びスイッチ装置を提供することができる。【解決手段】表示装置１は、光を発する第１光源１０及び第２光源２０と、第１光源１０及び第２光源２０からの光のうち特定の偏光方向の光を通過させる第１光源用偏光板１５及び第２光源用偏光板２５と、表示マークが形成され、第１光源用偏光板１５及び第２光源用偏光板２５を通過した第１光源１０及び第２光源２０からの光を選択的に透過する第１表示用偏光板３０及び第２表示用偏光板４０と、第１表示用偏光板３０及び第２表示用偏光板４０からの光を拡散する拡散板５０と、を備え、拡散板５０の第１表示用偏光板３０とは反対側の表面５０ａが、拡散板５０の表面５０ａと同方向を向くロアパネル６０の上端面６０ａと同じ色に加飾されている。【選択図】図１
2018205545.tif 000002
【特許請求の範囲】
【請求項１】
特定方向に偏光した光を発する光源部からの光を照射することにより表示マークを発光表示する表示装置であって、
前記光源部から発せられた光を透過させて前記表示マークを形成する表示用偏光板と、
前記表示用偏光板の表示側に配置され、前記表示用偏光板からの光を拡散する拡散板と、
前記拡散板の周辺に配置され、前記表示装置の外装の意匠を形成する外装部材と、を備え、
前記拡散板の前記表示用偏光板とは反対側の表面が、前記拡散板の前記表面と同方向を向く前記外装部材の面と同じ色に加飾されている、
表示装置。
【請求項２】
前記光源部は、第１光源及び第２光源を有し、
前記表示用偏光板は、第１表示マークが形成された第１表示用偏光板と、第２表示マークが形成された第２表示用偏光板、を有し、
前記第１表示用偏光板及び前記第２表示用偏光板は、前記第１光源及び第２光源からの光を選択的に透過することにより、前記第１及び第２表示マークの表示が切り替えられる、
請求項１記載の表示装置。
【請求項３】
前記表示用偏光板は、ワイヤグリッドの一部に金属を形成したワイヤグリッド偏光板である、
請求項１又は２に記載の表示装置。
【請求項４】
請求項１乃至３の何れか１項に記載の表示装置を備えるスイッチ装置であって、
前記光源部の発光状態及び非発光状態を切り替えるスイッチ部と、
前記スイッチ部を操作する操作部と、を備えている、
スイッチ装置。
【発明の詳細な説明】
【技術分野】
【０００１】
本発明は、表示装置及びスイッチ装置に関する。
【背景技術】
【０００２】
従来の技術として、表示領域が形成された操作面を有するスイッチ操作部と、スイッチ操作部の背面に設けられて表示領域に対応した透過領域と非透過領域とが形成された表示部と、表示領域に対応する位置に配置された発光部材と、スイッチ操作部と発光部材との間に設けられた拡散板と、を備えた表示装置（スイッチパネル）が知られている（例えば、特許文献１参照）。
【０００３】
この表示装置によれば、スイッチ操作部に所定の情報を表示することができるので、スイッチ操作部とは別に表示装置を設けることが不要となり、スイッチ操作部の大型化を図ることができるとされている。
【先行技術文献】
【特許文献】
【０００４】
【特許文献１】特許第３４６６９５５号
【発明の概要】
【発明が解決しようとする課題】
【０００５】
ところで、拡散板は一般的に、乳白色又は灰色に形成されているので、特許文献１に記載の表示装置の消灯時において、例えば日光等の外光が照らされた際に、消灯時にもかかわらず白色に光った拡散板が操作面上に映ってしまい、表示の見栄えが悪化するという問題がある。
【０００６】
そこで、本発明の目的は、消灯時における表示の見栄えを向上させることができる表示装置及びスイッチ装置を提供することにある。
【課題を解決するための手段】
【０００７】
本発明は、上記目的を達成するために、特定方向に偏光した光を発する光源部からの光を照射することにより表示マークを発光表示する表示装置であって、前記光源部から発せられた光を透過させて前記表示マークを形成する表示用偏光板と、前記表示用偏光板の表示側に配置され、前記表示用偏光板からの光を拡散する拡散板と、前記拡散板の周辺に配置され、前記表示装置の外装の意匠を形成する外装部材と、を備え、前記拡散板の前記表示用偏光板とは反対側の表面が、前記拡散板の前記表面と同方向を向く前記外装部材の面と同じ色に加飾されている、表示装置を提供する。
【０００８】
また、本発明は、上記目的を達成するために、上記に記載の表示装置を備えるスイッチ装置であって、前記光源部の発光状態及び非発光状態を切り替えるスイッチ部と、前記スイッチ部を操作する操作部と、を備えている、スイッチ装置を提供する。
【発明の効果】
【０００９】
本発明の表示装置及びスイッチ装置によれば、消灯時における表示の見栄えを向上させることができる表示装置及びスイッチ装置を提供することができる。
【図面の簡単な説明】
【００１０】
【図１】図１は、本発明の実施の形態に係る表示装置の断面図である。
【図２】図２は、図１においてＡ方向から第１表示用偏光板、第２表示用偏光板を見た上平面図（部分上平面図）である。
【図３】図３は、図１においてＢ方向から第１光源用偏光板、第２光源用偏光板を見た下平面図（部分下平面図）である。
【図４】図４（ａ）は、拡散板及び第１表示用偏光板の断面拡大図であり、図４（ｂ）は、第１表示用偏光板の斜視図である。
【図５】図５（ａ）は、第１表示偏光板の平面図であり、図５（ｂ）は、第２表示偏光板の平面図である。
【図６】図６（ａ）は、第１光源を発光させた場合に第１表示偏光板の表示マークが表示される状態を示す上平面図であり、図６（ｂ）は、第１光源から照射した光の経路を示す断面図である。
【図７】図７（ａ）は、第２光源を発光させた場合に第２表示偏光板の表示マークが表示される状態を示す上平面図であり、図７（ｂ）は、第２光源から照射した光の経路を示す断面図である。
【図８】図８（ａ）は、本実施の形態に係る表示装置を図１のＡ方向から見た場合の消灯時の状態を示し、図８（ｂ）は、比較例に係る表示装置を図１のＡ方向から見た場合の消灯時の状態を示している。
【発明を実施するための形態】
【００１１】
（実施の形態の要約）
本実施の形態に係る表示装置（表示装置１）は、特定方向に偏光した光を発する光源部（第１光源１０、第２光源２０、第１光源用偏光板１５、第２光源用偏光板２５）と、光源部（第１光源１０、第２光源２０、第１光源用偏光板１５、第２光源用偏光板２５）から発せられた光を透過させて表示マークを形成する表示用偏光板（第１表示用偏光板３０、第２表示用偏光板４０）と、表示用偏光板（第１表示用偏光板３０、第２表示用偏光板４０）の表示側に配置され、表示用偏光板（第１表示用偏光板３０、第２表示用偏光板４０）からの光を拡散する拡散板（拡散板５０）と、拡散板（拡散板５０）の周辺に配置され、表示装置（表示装置１）の外装の意匠を形成する外装部材（ロアパネル６０）と、を備え、拡散板（拡散板５０）の表示用偏光板（第１表示用偏光板３０、第２表示用偏光板４０）とは反対側の表面（表面５０ａ）が、拡散板（拡散板５０）の表面（表面５０ａ）と同方向を向く外装部材（ロアパネル６０）の面（上端面６０ａ）と同じ色に加飾されている。
【００１２】
なお、本発明における「外装部材」は、表示装置の外表面に配置される部材のみならず、表示装置の外表面に意匠として投影される内側の部材も含まれていてもよい。
【００１３】
この表示装置（表示装置１）によれば、拡散板（拡散板５０）の表面（表面５０ａ）が外装部材（ロアパネル６０）の面と同じ色に加飾されていない場合に比較して、拡散板５０（拡散板５０）の表面（表面５０ａ）と、外装部材（ロアパネル６０）の面（上端面６０ａ）の色が均一化されるので、光源部（第１光源１０、第２光源２０、第１光源用偏光板１５、第２光源用偏光板２５）の消灯時における見栄えが向上する。
【００１４】
[実施の形態]
（表示装置１の概要）
表示装置１は、図１（ａ）に示すように、光を発する第１光源１０及び第２光源２０と、第１光源１０及び第２光源２０からの光のうち特定の偏光方向の光を通過させる第１光源用偏光板１５及び第２光源用偏光板２５と、表示マークが形成され、第１光源用偏光板１５及び第２光源用偏光板２５を通過した第１光源１０及び第２光源２０からの光を選択的に透過する第１表示用偏光板３０及び第２表示用偏光板４０と、第１表示用偏光板３０及び第２表示用偏光板４０からの光を拡散する拡散板５０と、を備えて概略構成されている。
【００１５】
また、表示装置１は、第１表示用偏光板３０及び第２表示用偏光板４０を収容するロアパネル６０及びアッパーパネル７０と、ロアパネル６０及びアッパーパネル７０の下部に設けられ、第１光源１０及び第２光源２０並びに第１光源用偏光板１５及び第２光源用偏光板２５を収容するボディユニット８０と、を備えている。
【００１６】
ロアパネル６０の上側には、第１表示用偏光板３０及び第２表示用偏光板４０が重ねて取り付けられている。また、ロアパネル６０の下側には、第１光源１０及び第２光源２０からの光を互いに直交する偏光方向の光にするための第１光源用偏光板１５及び第２光源用偏光板２５が並べて取り付けられている。
【００１７】
ボディユニット８０は、ボディ本体８１に基板８２が取り付けられ、基板８２にはスイッチ接点（図示省略）が設けられている。また、ボディ本体８１には、このスイッチ接点のオンオフ動作を可能とする導電部（図示省略）を備えたラバーコンタクト８３が設けられている。
【００１８】
表示装置１は、第１光源１０を発光することにより、第１光源用偏光板１５を透過した光が第１表示用偏光板３０及び第２表示用偏光板４０で選択的に透過して、第１表示マークを表示する。また、表示装置１は、第２光源２０を発光することにより、第２光源用偏光板２５を透過した光が第１表示用偏光板３０及び第２表示用偏光板４０で選択的に透過して、第２表示マークを表示する。
【００１９】
以下に、図１から図４を参照しながら各構成要素を説明する。
【００２０】
（第１光源１０）
第１光源１０は、例えば、ＬＥＤ光源、レーザ光源等が使用できる。例えば、レーザ光源の場合は特定の方向に偏光成分を有するように偏光方向を調整し、また、ＬＥＤ光源等では特定の方向に偏光成分を有するように出射部に偏光素子を配置する。本実施の形態では、第１光源１０としてＬＥＤ光源を使用し、出射部に第１光源用偏光板１５を配置する。
【００２１】
第１光源１０は、ロアパネル６０に取り付けられた第１光源用偏光板１５を通過して、図３に示す第１偏光方向１９に偏光方向を有する光を出射する。第１光源１０から第１光源用偏光板１５を通過して出射される光は、第１表示用偏光板３０及び第２表示用偏光板４０のそれぞれの偏光領域又は非偏光領域を選択的に透過する。
【００２２】
（第１光源用偏光板１５）
第１光源用偏光板１５は、図３に示すように、略矩形の偏光機能を備えて板状に形成されている。第１光源用偏光板１５は、本実施の形態では、略矩形としている。
【００２３】
第１光源用偏光板１５は、図３に示す第１偏光方向１９の光を通過させ、他の偏光方向の光を反射又は吸収する。したがって、第１光源用偏光板１５を通った第１光源１０の光は、第１偏光方向１９の偏光成分をもつ直線偏光の光となる。
【００２４】
（第２光源２０）
第２光源２０は、例えば、ＬＥＤ光源、レーザ光源等が使用できる。例えば、レーザ光源の場合は特定の方向に偏光成分を有するように偏光方向を調整し、また、ＬＥＤ光源等では特定の方向に偏光成分を有するように出射部に偏光素子を配置する。本実施の形態では、第２光源２０としてＬＥＤ光源を使用し、出射部に第２光源用偏光板２５を配置する。
【００２５】
第２光源２０は、ロアパネル６０に取り付けられた第２光源用偏光板２５を通過して、図３に示す第２偏光方向２９に偏光方向を有する光を出射する。第２光源２０から第２光源用偏光板２５を通過して出射される光は、第１表示用偏光板３０及び第２表示用偏光板４０のそれぞれの偏光領域又は非偏光領域を選択的に透過する。
【００２６】
（第２光源用偏光板２５）
第２光源用偏光板２５は、図３に示すように、略矩形の偏光機能を備えて板状に形成されている。第２光源用偏光板２５は、本実施の形態では、略矩形としている。
【００２７】
第２光源用偏光板２５は、図３に示す第２偏光方向２９の光を通過させ、他の偏光方向の光を反射又は吸収する。したがって、第２光源用偏光板２５を通った第２光源２０の光は、第２偏光方向２９の偏光成分をもつ直線偏光の光となる。
【００２８】
（第１表示用偏光板３０、第２表示用偏光板４０）
第１表示用偏光板３０及び第２表示用偏光板４０は、反射型の偏光板であり、ワイヤグリッドの一部に金属を形成したワイヤグリッド偏光板である。以下において、図４を参照してワイヤグリッド偏光板（第１表示用偏光板３０，第２表示用偏光板４０）の構成について説明する。なお、第２表示用偏光板４０は、図４（ａ）に示す拡散板５０及びスモーク部５１を除いて、第１表示用偏光板３０と同様の構成であるため、以下図４の説明においては第１表示用偏光板３０を代表例として説明する。
【００２９】
このワイヤグリッド式の第１表示用偏光板３０は、図４（ｂ）に示すグリッド方向Ｇに振動する光は反射され、グリッド方向Ｇと直交する光は透過する。したがって、第１光源用偏光板１５のグリッド方向Ｇを、図２に示す第１の偏光方向１９と直交する方向に設定することにより、第１の偏光方向１９に偏光する光のみを透過させることができる。また、第２光源用偏光板２５のグリッド方向Ｇを、図２に示す第２の偏光方向２９と直交する方向に設定することにより、第２の偏光方向２９に偏光する光のみを透過させることができる。
【００３０】
（第１表示用偏光板３０）
第１表示用偏光板３０は、図２に示すように、偏光機能を備えて板状に形成され、提示フィルタとして機能する。第１表示用偏光板３０は、多角形状であればよいが、本実施の形態では、矩形としている。
【００３１】
第１表示用偏光板３０は、図５（ａ）に示すように、グリッド方向Ｇと平行な方向の第１偏光方向１９に偏光された直線偏光の光を反射して、グリッド方向Ｇと直交する方向の第２偏光方向２９に偏光された直線偏光の光を透過させる偏光領域３１と、偏光状態によらずに光を透過させる非偏光領域３２の領域を有して構成されている。したがって、第１表示用偏光板３０は、第１光源１０及び第２光源２０からの光を選択的に透過して提示フィルタとして機能する。この偏光領域３１と非偏光領域３２の形状は、例えば、図５（ａ）に示すように、非偏光領域３２が丸形状に形成された表示マークとして形成され、種々のマーク、文字、図形等とすることができる。なお、後述する第２表示用偏光板４０に形成された表示マークとは少なくとも一部が重複するように配置される。
【００３２】
（第２表示用偏光板４０）
第２表示用偏光板４０は、図２に示すように、偏光機能を備えて板状に形成され、提示フィルタとして機能する。第２表示用偏光板４０は、多角形状であればよいが、本実施の形態では、矩形としている。
【００３３】
第２表示用偏光板４０は、図５（ｂ）に示すように、グリッド方向Ｇと直交する方向の第１偏光方向１９に偏光された直線偏光の光を透過させ、グリッド方向Ｇと平行な方向の第２偏光方向２９に偏光された直線偏光の光を反射する偏光領域４１と、偏光状態によらずに光を透過させる非偏光領域４２の領域を有して構成されている。したがって、第２表示用偏光板４０は、第１光源１０及び第２光源２０からの光を選択的に透過して提示フィルタとして機能する。この偏光領域４１と非偏光領域４２の形状は、例えば、図５（ｂ）に示すように、非偏光領域３２が×形状に形成された表示マークとして形成され、種々のマーク、文字、図形等とすることができる。なお、前述した第１表示用偏光板３０に形成された表示マークとは少なくとも一部が重複するように配置される。
【００３４】
（ロアパネル６０）
図１に示すように、ロアパネル６０は、第１表示用偏光板３０及び第２表示用偏光板４０並びに拡散板５０が重ねて収容される凹部６１０を有し、アッパーパネル７０及びボディユニット８０と一体に組み立てられて表示装置１を構成する。ロアパネル６０は、各偏光板が配置され、第１光源１０及び第２光源２０からの光１０Ｌ、２０Ｌが通るように空洞部６００が形成された枠体として形成されている。
【００３５】
ロアパネル６０は、例えば、樹脂等により形成される。凹部６１０は、第１表示用偏光板３０及び第２表示用偏光板４０並びに拡散板５０の外形状に合わせて多角形状であり、本実施の形態では、矩形としている。
【００３６】
図１及び図３に示すように、ロアパネル６０の下側には、第１光源用偏光板１５及び第２光源用偏光板２５がそれぞれ並べて収容される第１収容部６１１及び第２収容部６１２が形成されている。ロアパネル６０の空洞部６００の下側に、第１光源用偏光板１５及び第２光源用偏光板２５をそれぞれ収容する溝又は凹部が第１及び第２収容部６１１，６１２として形成されている。
【００３７】
（ボディユニット８０）
ボディユニット８０は、ボディ本体８１、基板８２、基板８２に実装された第１光源１０、第２光源２０、回路部（図示省略）、スイッチ接点（図示省略）、スイッチ接点のオンオフ動作を可能とする導電部（図示省略）を備えたラバーコンタクト８３が組み立てられたユニットである。このボディユニット８０は、ロアパネル６０の下側に配置されて組み付け、固定される。
【００３８】
（拡散板５０）
拡散板５０は、図１（ｂ）に示すように、第１表示用偏光板３０の表示側（第１表示用偏光板３０の第２表示用偏光板４０と対向する面とは反対側の面）に配置されている。また、拡散板５０は、第１表示用偏光板３０のアッパーパネル７０の下面７０ｂと対向する表面３０ａの全体を覆うように設けられている。拡散板５０は、ロアパネル６０の凹部６１０に収容されている。
【００３９】
拡散板５０の表面５０ａは、アッパーパネル７０の下面７０ｂと対向している。アッパーパネル７０は、第１及び第２表示用偏光板３０，４０の表示マークを表示する表示部であり、例えば樹脂で形成され、スモーク仕様とされている。従って、第１及び第２表示用偏光板３０，４０が表示する表示マークは、拡散板５０を通して表示されることにより均一な光でアッパーパネル７０の表面７０ａ上に照明表示される。また、アッパーパネル７０の表面７０ａは、第１及び第２光源１０，２０により照明表示されていない消灯時においては、ブラックアウトした状態である。
【００４０】
拡散板５０の表面５０ａには、図４（ａ）に示すように、スモーク部５１が形成されている。このスモーク部５１は、例えば透過率を調整したスクリーン印刷、グラビア印刷等によって形成された印刷層である。
【００４１】
拡散板５０の表面５０ａが、拡散板５０の表面５０ａと同方向を向くロアパネル６０の上端面６０ａと同じ色に加飾されている。この色としては、ブラックアウトした状態の見栄えを考慮されたものであればよく、特に限定されるものではない。採用する色としては黒色以外に、例えば、灰色、あるいは濃紺であってもよい。ここで、ロアパネル６０の上端面６０ａとは、図１の矢印Ａ方向からロアパネル６０を見た場合に、視界に入り得るロアパネル６０の面の全域を含むものとする。
【００４２】
（第１表示用偏光板３０に形成された表示マークの表示動作）
第１光源１０を発光させると、図６（ｂ）に示すように、第１光源１０から第１光源用偏光板１５を通して第１偏光方向１９に偏光方向を有する光１０Ｌが出射する。この光は、第１表示用偏光板３０及び第２表示用偏光板４０に照射される。この光１０Ｌは、第１偏光方向１９に偏光方向を有するので、第１表示用偏光板３０の非偏光領域３２及び第２表示用偏光板４０の全領域を透過する。したがって、図６（ａ）で示す非偏光領域３２の表示マーク（○印）が表示される。非偏光領域３２以外の領域は光１０Ｌが透過せず、したがって表示されない。
【００４３】
（第２表示用偏光板４０に形成された表示マークの表示動作）
第２光源２０を発光させると、図７（ｂ）に示すように、第２光源２０から第２光源用偏光板２５を通して第２偏光方向２９に偏光方向を有する光２０Ｌが出射する。この光は、第１表示用偏光板３０及び第２表示用偏光板４０に照射される。この光２０Ｌは、第２偏光方向２９に偏光方向を有するので、第２表示用偏光板４０の非偏光領域４２及び第１表示用偏光板３０の全領域を透過する。したがって、図７（ａ）で示す非偏光領域４２の表示マーク（×印）が表示される。非偏光領域４２以外の領域は光２０Ｌが透過せず、したがって表示されない。
【００４４】
次に、本実施の形態の効果について説明するために、本実施の形態に係る表示装置と比較例に係る表示装置とを比較ながら図８を参照して説明する。なお、比較例に係る表示装置は、拡散板の表面にスモーク部が形成されていない点を除いて、本実施の形態に係る表示装置１と構成及び動作は同様である。また、本実施の形態に係る表示装置１の拡散板５０、及び比較例に係る表示装置の拡散板５００は、共に白色の拡散板を用いているものとする。
【００４５】
図８（ａ）に示すように、本実施の形態に係る表示装置１では、第１及び第２光源１０，２０が光を発していない消灯状態において、アッパーパネル７０の表面７０ａは、ブラックアウトした状態であり、従来技術で述べたような拡散板５０が白く映っていない。つまり、本実施の形態では、拡散板５０の表面５０ａに、ロアパネル６０の上端面６０ａと同じ色に加飾されたスモーク部５１が形成されているため、拡散板５０及びロアパネル６０の上端面６０ａにおける色彩が均一化されるため、ブラックアウトした状態の見栄えが向上されている。
【００４６】
これに対して、図８（ｂ）に示すように、比較例に係る表示装置１００では、消灯状態にもかかわらず、拡散板５００の表面５００ａがアッパーパネル７０を介して透けて見えていることがわかる。
【００４７】
この現象は、例えば日光等の外光がアッパーパネル７０に対して照射すると、この外光が拡散板を通過してワイヤグリッド偏光板の表面（本実施の形態の第１表示用偏光板３０の表面３０ａに相当する面）で反射し、拡散板５００の表面５００ａが白く映るということが原因として挙げられる。従って、本現象は、ワイヤグリッド偏光板を用いた表示装置において特に顕著であり、本発明はワイヤグリッド偏光板を用いた表示装置に対して優れた効果を発揮するものである。
【００４８】
（実施の形態の効果）
本発明の実施の形態によれば、以下のような効果を有する。
（１）本実施の形態に係る表示装置１は、特定方向に偏光した光を発する（第１光源１０、第２光源２０、第１光源用偏光板１５、第２光源用偏光板２５）と、光源部（第１光源１０、第２光源２０、第１光源用偏光板１５、第２光源用偏光板２５）から発せられた光を透過させて表示マークを形成する表示用偏光板（第１表示用偏光板３０、第２表示用偏光板４０）と、表示用偏光板（第１表示用偏光板３０、第２表示用偏光板４０）の表示側に配置され、表示用偏光板（第１表示用偏光板３０、第２表示用偏光板４０）からの光を拡散する拡散板（拡散板５０）と、拡散板（拡散板５０）拡散板（拡散板５０）の周辺に配置され、表示装置（表示装置１）の外装の意匠を形成する外装部材（ロアパネル６０）と、を備え、拡散板（拡散板５０）の表示用偏光板（第１表示用偏光板３０、第２表示用偏光板４０）とは反対側の表面（表面５０ａ）が、拡散板（拡散板５０）の表面（表面５０ａ）と同方向を向く外装部材（ロアパネル６０）の面（上端面６０ａ）と同じ色に加飾されている。これにより、表示装置１の消灯時における見栄えを向上させることができる。
【００４９】
（２）第１及び第２表示用偏光板３０，４０は、ワイヤグリッドの一部に金属を形成したワイヤグリッド偏光板である。本実施の形態では、上述したように外光がワイヤグリッド偏光板の表面における反射に起因した見栄えの低下を抑制することができるので、ワイヤグリッド偏光板が採用された表示装置に対して特に有効である。
【００５０】
以上、本発明のいくつかの実施の形態を説明したが、これらの実施の形態は、一例に過ぎず、特許請求の範囲に係る発明を限定するものではない。また、これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【００５１】
例えば、上記実施の形態では、第１及び第２表示用偏光板３０，４０がワイヤグリッド偏光板である場合について説明したが、これに限定されず、例えば第１及び第２表示用偏光板３０，４０は、例えばＰＶＡ（ポリビニルアルコール）層を延伸してヨウ素色素を配向させて偏光性を発現させた偏光板であってもよい。
【００５２】
また、上記実施の形態では、２つのマーク表示を切替えて表示する表示装置として説明したが、これに限定されず、本実施の形態に係る表示装置１は、第１及び第２光源１０，２０の発光状態及び非発光状態を切り替えるスイッチ部と、スイッチ部を操作する操作部と、を備えているスイッチ装置に適用してもよい。
【００５３】
また、表示装置１の適用対象はスイッチ装置に限らず、例えばインストルメントパネルに配置されるメータ類や、インジケータが適用対象であってもよい。
【符号の説明】
【００５４】
１…表示装置、１０…第１光源、１５…第１光源用偏光板、１９…第１偏光方向、２０…第２光源、２５…第２光源用偏光板、２９…第２偏光方向、３０…第２表示用偏光板、３０ａ…表面、３１…偏光領域、３２…非偏光領域、４０…第１表示用偏光板、４１…偏光領域、４２…非偏光領域、５０…拡散板、５０ａ…表面、５１…スモーク部、６０…ロアパネル、６０ａ…上端面、７０…アッパーパネル、７０ａ…表面、７０ｂ…下面、８０…ボディユニット、８１…ボディ本体、８２…基板、８３…ラバーコンタクト、１００…表示装置、３００…樹脂フイルム、３０１…ワイヤグリッド、５００…拡散板、５００ａ…表面、６００…空洞部、６１０…凹部、６１１…第１収容部、６１２…第２収容部
【図１】
2018205545.tif 000003
【図２】
2018205545.tif 000004
【図３】
2018205545.tif 000005
【図４】
2018205545.tif 000006
【図５】
2018205545.tif 000007
【図６】
2018205545.tif 000008
【図７】
2018205545.tif 000009
【図８】
2018205545.tif 000010